(57)【要約】【課題】収容物として液体，粉体，粒体のいずれにでも適用でき、収容物を簡単な構造で正確に計量可能な計量機能付きキャップを構成する。【解決手段】液体，粉体，粒体のいずれかを収容物とする容器用で、容器口１ａに取り付けられるキャップ本体２ａと、キャップ本体２ａと着脱自在に嵌め合せられるキャップ蓋２ｂとからなり、キャップ本体２ａとキャップ蓋２ｂとをスナップヒンジ２ｃで連結するもので、所定の容積を周回り壁の立上り寸法で規定する蓋体部２０ａと、蓋体部２０ａをベースとする互いの嵌り合いで所定の容積を増加する一つまたは複数の筒体部２０ｂとからなり、蓋体部２０ａより筒体部２０ｂをスナップヒンジ２０ｃで連結させて形成した計量用のキャップ蓋２ｂを備え付ける。【選択図】図２
2005153890.tif 000002
【特許請求の範囲】
【請求項１】
液体，粉体，粒体のいずれかを収容物とする容器用で、容器口に取り付けられるキャップ本体と、キャップ本体と着脱自在に嵌め合せられるキャップ蓋とからなり、キャップ本体とキャップ蓋とをスナップヒンジで連結するキャップにおいて、
所定の容積を周回り壁の立上り寸法で規定する蓋体部と、蓋体部をベースとする互いの嵌り合いで所定の容積を増加する一つまたは複数の筒体部とからなり、蓋体部より筒体部をスナップヒンジで連結させて形成した計量用のキャップ蓋を備え付けてなることを特徴とする計量機能付きキャップ。
【請求項２】
液体，粉体，粒体のいずれかを収容物とする容器用で、容器口に取り付けられるキャップ本体と、キャップ本体と着脱自在に嵌め合せられるキャップ蓋とからなり、キャップ本体とキャップ蓋とをスナップヒンジで連結するキャップにおいて、
大容積を有する外カップ部と、外カップ部をベースとして相内側に嵌り込む一つまたは複数の小容積を有する内カップ部とからなり、キャップ本体と外カップ部とを連結するスナップヒンジを基準とし、互い違い交互に配置するスナップヒンジにより外カップ部と内カップ部とを連結させて形成した計量用のキャップ蓋を備え付けてなることを特徴とする計量機能付きキャップ。
【請求項３】
液体，粉体，粒体のいずれかを収容物とする容器用で、容器口に取り付けられるキャップ本体と、キャップ本体と着脱自在に嵌め合せられるキャップ蓋とからなり、キャップ本体とキャップ蓋とをスナップヒンジで連結するキャップにおいて、
蓋奥側から順次に容積を増加する段部を壁内周に設けた計量用のキャップ蓋を備え付けてなることを特徴とする計量機能付きキャップ。
【請求項４】
液体，粉体，粒体のいずれかを収容物とする容器用で、容器口に取り付けられるキャップ本体と、キャップ本体と着脱自在に嵌め合せられるキャップ蓋とからなり、キャップ本体とキャップ蓋とをスナップヒンジで連結するキャップにおいて、
蓋内容積を区画する周回り壁と相似形の仕切り壁を一つまたは複数設けた計量用のキャップ蓋を備え付けてなることを特徴とする計量機能付きキャップ。
【発明の詳細な説明】
【技術分野】
【０００１】
本発明は、液体，粉体，粒体のいずれかを収容物とする容器用のキャップに関するものである。
【背景技術】
【０００２】
従来、液体，粉体，粒体のいずれかを収容物とする容器用のキャップとしては収容物の計量用を兼ねたキャップ蓋を備えるものが知られている（特許文献１，２）。
【０００３】
そのキャップ蓋は、容器口に対して着脱可能に嵌め合せられるもので、使用者が片手で持って容器口より取り外し、他の手で持つ容器本体の容器口より収容物を周回り壁の内側面に設けられる目盛線に合わせて注ぎ出すことから収容物を計量可能に形成されている。このキャップ蓋では、目盛線が周回り壁の内側面に設けられているため、目盛線が外部より見難く正確な計量を行い難い。
【０００４】
その計量機能をキャップ蓋に持たせるものに代えて、容器口に取り付けられるキャップ本体と、キャップ本体と着脱自在に嵌め合せられるキャップ蓋とからなり、キャップ本体とキャップ蓋とをスナップヒンジで連結し、計量機能をキャップ本体に持たせるものが知られている（特許文献３，４）。
【０００５】
そのキャップ本体は、所定の立上り高さを呈する周回り壁を有し、流出管をキャップ本体の底壁中央より縦に立てて設け、この周回り壁と底壁とから計量室を形成し、容器本体をスクイズすることから、収容物を流出管より周回り壁の内側面に設けられる目盛線に合わせて計量室に横溢させることにより収容物を計量可能に構成されている。
【０００６】
そのキャップ本体を計量室として構成するキャップでは、収容物が流出管より流出可能な液体に限られて用途に制約があるばかりでなく、計量室に横溢する収容物を外部から見られるようキャップ本体を透明乃至は半透明の合成樹脂で形成する必要がある。
【特許文献１】特開２００１−１５８４６５号
【特許文献２】特表２００１−５１８４３０号
【特許文献３】実開平３−２３０６６号
【特許文献３】実開平３−１２９２５９号
【発明の開示】
【発明が解決しようとする課題】
【０００７】
本発明の解決しようとする課題は、収容物として液体，粉体，粒体のいずれにでも適用でき、収容物を簡単な構造で正確に計量可能な計量機能付きキャップを構成する点である。
【課題を解決するための手段】
【０００８】
本発明は、容器口に取り付けられるキャップ本体と、キャップ本体と着脱自在に嵌め合せられるキャップ蓋とからなり、キャップ本体とキャップ蓋とをスナップヒンジで連結する形態を有し、第１の形態は所定の容積を周回り壁の立上り寸法で規定する蓋体部と、蓋体部をベースとする互いの嵌り合いで所定の容積を増加する一つまたは複数の筒体部とからなり、蓋体部より筒体部をスナップヒンジで連結させて形成した計量用のキャップ蓋を備え付けることを特徴とする。
【０００９】
本発明の第２の形態は、大容積を有する外カップ部と、外カップ部をベースとして相内側に嵌り込む一つまたは複数の小容積を有する内カップ部とからなり、キャップ本体と外カップ部とを連結するスナップヒンジを基準とし、互い違い交互に配置するスナップヒンジにより外カップ部と内カップ部とを連結した計量用のキャップ蓋を備え付けることも特徴とする。
【００１０】
本発明の第３の形態は、蓋奥側から順次に容積を増加する段部を壁内周に設けた計量用のキャップ蓋を備え付けることも特徴とする。
【００１１】
本発明の第４の形態は、蓋内容積を区画する周回り壁と相似形の仕切り壁を一つまたは複数設けた計量用のキャップ蓋を備え付けることも特徴とする。
【発明の効果】
【００１２】
本発明に係る計量機能付きキャップは、キャップ本体よりスナップヒンジで外し開けるキャップ蓋を計量用として形成するため、液体，粉体，粒体のいずれを収容する容器にでも適用できると共に、キャップ全体を透明乃至は半透明の合成樹脂で形成する如き材質的な制約もないばかりでなく、キャップ本体よりスナップヒンジで外し開けるキャップ蓋を異なる容積のものに選定しまたはキャップ蓋の異なる容積部分を選択することから、キャップ本体より外し開けるキャップ蓋の定められた容積部分に注ぎ出す収容物を計量するものとして収容物を簡単な構造で正確に計量できる。
【発明を実施するための最良の形態】
【００１３】
図示実施の形態は、図１，図２で示すように細口状の容器口１ａを容器本体１ｂの上部側に設けた容器１に備え付けるキャップ２として構成されている。そのキャップ２を備える容器１としては、洗剤，漂白剤或いは醤油，酢等の液体を収容するに適した円筒状のボトルが例示されている。この容器１においては、螺旋状の雄ネジ１ｃが容器口１ａの周側壁で開口端寄りの外周に設けられている。
【００１４】
キャップ２は、容器口１ａに取り付けられるキャップ本体２ａと、キャップ本体２ａと着脱自在に嵌め合せられるキャップ蓋２ｂとからなり、キャップ本体２ａとキャップ蓋２ｂとをスナップヒンジ２ｃで連結することにより、容器口１ａをキャップ蓋２ｂで開閉するよう形成されている。このキャップ２においては、容器口１ａより流出する収容物を必要量に選定可能な計量機能がキャップ蓋２ｂに付与されている。
【００１５】
キャップ本体２ａは、容器口１ａの外側に嵌り合う円筒形を呈するよう形成されている。そのキャップ本体２ａには、容器口１の雄ネジ１ｃと螺合する螺旋状の雌ネジ２ｄが内周面に設けられ、また、収容物の注ぎ孔２ｅを中央に開孔する内底壁２ｆが径内に設けられている。内底壁２ｆには、注ぎ孔２ｅを取り囲む円筒状の抽出口２ｇが上方に立ち上がるよう設けられ、一方、容器口の径内に嵌入する円筒状の嵌り壁２ｈが下方に突出するよう設けられている。
【００１６】
キャップ蓋２ｂは、所定の立上り高さを有する周回り壁の上端側を天面壁で閉塞することから所定の内部容積を有するカップ状に形成されている。そのキャップ蓋２ｂは、内外の嵌り縁２ｉ，２ｊによりキャップ本体２ａと着脱可能に嵌り合うよう形成されている。このキャップ蓋２ｂには、キャップ本体２ａの内底壁２ｆより上方に立ち上がる抽出口２ｇの内側に嵌まり込む円筒状の内栓２ｋが天面壁の内側に突出するよう設けられている。
【００１７】
スナップヒンジ２ｃは、キャップ蓋２ｂをキャップ本体２ａより外した際に、抽出口２ｇの先端側をキャップ蓋２ｂの縁内に傾けられる長さを持ってキャップ本体２ａとキャップ蓋２ｂとを連結するよう形成されている。また、キャップ本体２ａとキャップ蓋２ｂとを確実に連結するよう所定の間隔を円周方向に隔てた二本の連結条で形成されている。
【００１８】
そのキャップ２においては、容器口１ａより流出する収容物を必要量に選定可能な計量機能をキャップ蓋２ｂに持たせて構成されている。
【００１９】
第１の形態に係るキャップ（図１，図２参照）は、所定の容積を周回り壁の立上り寸法で規定する蓋体部２０ａと、蓋体部２０ａをベースとする互いの嵌り合いで所定の容積を増加する一つの筒体部２０ｂとからなり、蓋体部２０ａと筒体部２０ｂとをスナップヒンジ２０ｃで連結させて形成した計量用のキャップ蓋２ｂを備え付けることにより構成されている。
【００２０】
その蓋体部２０ａと筒体部２０ｂには、相嵌まり合う内外の嵌り縁２０ｄ，２０ｅが相対縁に設けられている。スナップヒンジ２０ｃは、蓋体部２０ａを筒体部２０ｂより外した際に、抽出口２ｇの先端側を蓋体部２ｂの縁内に傾けられる長さを持って蓋体部２０ａと筒体部２０ｂとを連結するよう形成されている。このスナップヒンジ２０ｃも、蓋体部２０ａと筒体部２０ｂとを確実に連結するよう所定の間隔を円周方向に隔てた二本の連結条で形成されている。
【００２１】
上述した構成に加えて、図３で示すように使用者が指を掛けてキャップ蓋２ｂ乃至は蓋体部２０ａを跳上げ開放可能な掛止め片２ｌ，２０ｆがキャップ本体２ａと嵌り合う筒体部２０ｂの下端縁並びに筒体部２０ｂと嵌り合う蓋体部２０ａの下端縁より外方に突出させて設けられている。
【００２２】
このように構成する計量機能付きキャップでは、図４で示すようにキャップ蓋２ｂを掛止め片２ｌでキャップ本体２ａより跳上げ開放し、抽出口２ｇの先端側をキャップ蓋２ｂの縁内にスナップヒンジ２ｃで傾けると、容器１の収容物を抽出口２ｇよりキャップ蓋２ｂの内側に注ぎ出せる。その収容物の注出し量は、キャップ蓋２ｂの内部容積で定められる。
【００２３】
それに対し、図５で示すように筒体部２０ｂをキャップ本体２ａに嵌め合せたままで、蓋体部２０ａを掛止め片２０ｆで筒体部２０ｂより跳上げ開放し、抽出口２ｇの先端側を蓋体部２０ａの縁内にスナップヒンジ２０ｃで傾けると、容器１の収容物を抽出口２ｇより蓋体部２０ａの内側に注ぎ出せる。この収容物の注出し量は、蓋体部２０ａの内部容積で定められる。
【００２４】
そのキャップ蓋２ｂ並びに蓋体部２０ａの内部容積は、大サジ１杯，小サジ１杯というように定められる。これにより、キャップ蓋２ｂを用いてはキャップ本体２ａから外し開けるキャップ蓋２ｂの定められた容積部分に注ぎ出す収容物を簡単な構造で正確に計量することができる。
【００２５】
上述した実施の形態は、１つの筒体部２０ｂを備える場合に基づいて説明したが、互いに嵌まり合う複数の筒体部を備えると共に、筒体相互をスナップヒンジで接続することから収容物を多種の容量に選定する計量用としても構成できる。また、スナップヒンジ２ｃ，２０ｃは円周の相対位置に設けると、蓋体部２０ａを掛止め片２０ｆで筒体部２０ｂより跳上げ開放するときに、筒体部２０ｂが伴って跳ね上がるのをキャップ本体２ａと連結するスナップヒンジ２ｃで抑えられる。
【００２６】
第２の形態に係るキャップは、図６で示すように大容積を有する外カップ部２１ａと、外カップ部２１ａをベースとして相内側に嵌り込む一つの内カップ部２１ｂとからなり、キャップ本体２ａと外カップ部２０ａとを連結するスナップヒンジ２ｃを基準とし、互い違いの相対位置に配置するスナップヒンジ２１ｃにより外カップ部２１ａと内カップ部２１ｂとを連結した計量用のキャップ蓋２ｂを備え付けて構成されている。
【００２７】
その内カップ部２１ｂには、摘み片２１ｄをスナップヒンジ２１ｃと相対する開放縁より引き出させて設けることから、外カップ部２１ａより外側に取り出せるよう構成できる。
【００２８】
その計量機能付きキャップでは、図７で示すように内カップ部２１ｂを外カップ部２１ａの内部に収めたままで、外カップ部２１ａを掛止め片２ｌでキャップ本体２ａより跳上げ開放し、抽出口２ｇの先端側を内カップ部２１ｂの縁内にスナップヒンジ２ｃで傾けると、容器１の収容物を抽出口２ｇより内カップ部２１ｂの内側に注ぎ出せる。その収容物の注出し量は、内カップ部２１ｂの内部容積で定められる。
【００２９】
それに対し、図８で示すように外カップ部２１ａを掛止め片２ｌでキャップ本体２ａより跳上げ開放し、内カップ部２１ｂを摘み片２１ｃで外カップ部２１ａより外し出し、抽出口２ｇの先端側を外カップ部２１ａの縁内にスナップヒンジ２ｃで傾けると、容器１の収容物を抽出口２ｇより外カップ部２１ａの内側に注ぎ出せる。この収容物の注出し量は、キャップ蓋自体となる外カップ部２１ｂの内部容積で定められる。
【００３０】
この第２の形態に係るキャップは、相内側に嵌り込む複数の小容積を有する内カップ部を備えると共に、内カップ相互を互い違い交互に配置するスナップヒンジにより連結した計量用のキャップ蓋を備え付けるよう構成することもできる。その内カップ相互は、互い違い交互に配置するスナップヒンジにより連結されているため、不要な内カップ部が追随的に取り出されるのを防げる。
【００３１】
第３の形態に係るキャップは、図９で示すように蓋奥側から容積を増加する段部２２を壁内周に設けた計量用のキャップ蓋２ｂを備え付けて構成されている。
【００３２】
その計量機能付きキャップでは、図１０で示すようにキャップ蓋２ｂを掛止め片２ｌでキャップ本体２ａより跳上げ開放し、抽出口２ｇの先端側をキャップ蓋２ｂの縁内にスナップヒンジ２ｃで傾けると、容器１の収容物を抽出口２ｇよりキャップ蓋２ｂの内側に注ぎ出せる。この収容物の注出し量は、収容物をキャップ蓋２ｂの内部一杯に注ぎ出すか、或いは段部２２の縁位置まで注ぎ出すかにより定められる。
【００３３】
第３の形態に係るキャップは、蓋奥側から容積を順次に増加する複数の段部を壁内周に設けた計量用のキャップ蓋２ｂを備え付けて構成するようにもできる。
【００３４】
第４の形態に係るキャップは、図１１で示すように蓋内容積を区画する周回り壁と相似形の仕切り壁２３を一つ設けた計量用のキャップ蓋２ｂを備え付けて構成されている。その仕切り壁２３は、抽出口２ｇの内側に嵌まり込む内栓を兼ねて設けられている。
【００３５】
その計量機能付きキャップでは、図１２で示すようにキャップ蓋２ｂを掛止め片２ｌでキャップ本体２ａより跳上げ開放し、抽出口２ｇの先端側をキャップ蓋２ｂの縁内にスナップヒンジ２ｃで傾けると、容器１の収容物を抽出口２ｇよりキャップ蓋２ｂの内側に注ぎ出せる。この収容物の注出し量は、収容物をキャップ蓋２ｂの内部一杯に注ぎ出すか、或いは仕切り壁２３の内側に注ぎ出すかにより定められる。
【００３６】
第４の形態に係るキャップは、蓋内容積を区画する複数の仕切り壁を同心円状に設けた計量用のキャップ蓋を備え付けて構成することもできる。
【００３７】
上述した実施の形態は、液体を収容物とする容器に備えるものとして説明したが、粉体，流体を収容物とする容器にも備えられる。また、細口状の容器に限らず、胴部と同じ口径を有する容器にも備え付けられる。
【図面の簡単な説明】
【００３８】
【図１】本発明の第１形態に係る計量機能付きキャップを開放状態で示す斜視図である。
【図２】図１のキャップを示す断面図である。
【図３】図１のキャップを展開状態で示す平面図である。
【図４】図１のキャップを大容量の計量使用状態で示す説明図である。
【図５】図１のキャップを小容量の計量使用状態で示す説明図である。
【図６】本発明の第２形態に係る計量機能付きキャップを示す断面図である。
【図７】図６のキャップを小容量の計量使用状態で示す説明図である。
【図８】図６のキャップを大容量の計量使用状態で示す説明図である。
【図９】本発明の第３形態に係る計量機能付きキャップを示す断面図である。
【図１０】図９のキャップを計量使用状態で示す説明図である。
【図１１】本発明の第４形態に係る計量機能付きキャップを示す断面図である。
【図１２】図１１のキャップを計量使用状態で示す説明図である。
【符号の説明】
【００３９】
１            容器
１ａ          容器口
２            キャップ
２ａ          キャップ本体
２ｂ          キャップ蓋
２ｃ          スナップヒンジ
２０ａ        蓋体部
２０ｂ        筒体部
２０ｃ        スナップヒンジ
２１ａ        大カップ部
２１ｂ        小カップ部
２１ｃ        スナップヒンジ
２２          段部
２３          仕切り壁
【図１】
2005153890.tif 000003
【図２】
2005153890.tif 000004
【図３】
2005153890.tif 000005
【図４】
2005153890.tif 000006
【図５】
2005153890.tif 000007
【図６】
2005153890.tif 000008
【図７】
2005153890.tif 000009
【図８】
2005153890.tif 000010
【図９】
2005153890.tif 000011
【図１０】
2005153890.tif 000012
【図１１】
2005153890.tif 000013
【図１２】
2005153890.tif 000014